(57)【特許請求の範囲】
【請求項１】
直流電圧値あるいは直流電流値で回転数が制御されるモーター（１）と、モーター（１）によって駆動され流体を圧送する定量ポンプ（２）と、この定量ポンプ（２）の吐出口の下流側に設けた圧力計（３）と、圧力計（３）の出力信号に対して、定量ポンプに起因する吐出圧変動の周波数信号成分のみを通過させるフィルター回路（４）と、このフィルター回路（４）の出力信号を増幅する増幅回路（５）と、この増幅回路（５）の出力信号を所定の基準電圧と比較し、２値化を行う比較回路（６）と、所定の電圧値ａを設定する回転数設定回路（７）と、２つの電圧値ｂとｃをｂ＞ｃとして設定する加算値設定回路（８）と、比較回路（６）の２値化信号に応じてｂあるいはｃの電圧値を選択するセレクタ（９）と、回転数設定回路（７）の出力電圧とセレクタ（９）の出力電圧を加算する加算回路（１０）と、加算回路（１０）の出力をモーター（１）を駆動可能な電圧値あるいは電流値に変換して出力する出力回路（１１）とから構成される光ファイバ製造用定量ポンプ吐出圧変動低減装置。
【請求項２】
請求項１に記載の装置において、回転数設定回路（７）で設定される所定の電圧値ａが所定のビット数のディジタル値ａ’であり、加算回路（１０）と出力回路（１１）との間にＤ（デジタル）／Ａ（アナログ）変換回路（１２）が設けられ、更に加算値設定回路（８）で設定される電圧値ｂ及び電圧値ｃが所定のビット数のディジタル値ｂ’及びディジタル値ｃ’であることを特徴とする光ファイバ製造用定量ポンプ吐出圧変動低減装置。
【請求項３】
請求項１に記載の装置において、加算値設定回路（８）の代わりにａ＞ｄとなる電圧値ｄを設定する第２回転数設定回路（１６）を配置し、加算回路（１０）を省略して回転数設定回路（７）をセレクタ（９）に接続し、比較回路（６）の２値化信号に応じて電圧値ａあるいは電圧値ｄを選択する回路を構成してセレクタ（９）の出力を出力回路（１１）に送る構成としたことを特徴とする光ファイバ製造用定量ポンプ吐出圧変動低減装置。
【請求項４】
請求項２に記載の装置において、加算値設定回路（８）の代わりに、ａ’＞ｄ’となる所定のビット数のディジタル値ｄ’を設定する第２回転数設定回路（１６）を配置し、加算回路（１０）を省略して回転数設定回路（７）をセレクタ（９）に接続し、比較回路（６）の２値化信号に応じてディジタル値ａ’あるいはディジタル値ｄ’を選択する回路を構成してセレクタ（９）の出力をＤ（デジタル）／Ａ（アナログ）変換回路（１２）に送る構成としたことを特徴とする光ファイバ製造用定量ポンプ吐出圧変動低減装置。
【請求項５】
請求項１に記載の装置を用いて、定量ポンプ（２）に起因する吐出圧が低くなったときに電圧値ｂを、吐出圧が高くなったときに電圧値ｃをセレクタ（９）で選択する光ファイバ製造用定量ポンプ吐出圧変動の低減方法。
【請求項６】
請求項２に記載の装置を用いて、定量ポンプ（２）に起因する吐出圧が低くなったときにディジタル値ｂ’を、吐出圧が高くなったときにディジタル値ｃ’をセレクタ（９）で選択する光ファイバ製造用定量ポンプ吐出圧変動の低減方法。
【請求項７】
請求項３に記載の装置を用いて、定量ポンプ（２）に起因する吐出圧が低くなったときに電圧値ａを、吐出圧が高くなったときに電圧値ｄをセレクタ（９）で選択する光ファイバ製造用定量ポンプ吐出圧変動の低減方法。
【請求項８】
請求項４に記載の装置を用いて、定量ポンプ（２）に起因する吐出圧が低くなったときにディジタル値ａ’を、吐出圧が高くなったときにディジタル値ｄ’をセレクタ（９）で選択する光ファイバ製造用定量ポンプ吐出圧変動の低減方法。
【請求項９】
請求項１〜４のいずれかに記載の光ファイバ製造用定量ポンプ吐出圧変動低減装置の定量ポンプ（２）の上流側に有機重合体用または有機重合体を含む混合物用の溶融混練供給装置（１７）を配置し、圧力計（３）の下流側に賦形装置（１８）を配置してなる光ファイバ賦形装置。
【請求項１０】
請求項９に記載のいずれかの賦形装置を用いて、有機重合体または有機重合体を含む混合物を溶融混練供給装置（１７）で溶融混練し、請求項５、請求項６、請求項７または請求項８に記載の定量ポンプ吐出圧変動の低減方法を用いて吐出圧を一定に制御しつつ、溶融混練物を賦形装置（１８）に供給して有機重合体または有機重合体を含む混合物を光ファイバ製造用に賦形する方法。
【発明の詳細な説明】
【０００１】
【発明の属する技術分野】
本発明は流体の定量吐出を行う定量ポンプの吐出圧変動低減装置、その使用方法、有機重合体等の賦形装置及びその賦形方法に関する。
【０００２】
【従来の技術】
定量ポンプは、例えばギヤ式定量ポンプについて考えると、その圧送原理は、互いに噛み合いながら回転している２枚のギヤの歯溝の入口部において流体が充填され、ギヤの回転に従って流体は歯溝とケーシングの間に閉じ込められて円周状に出口方向に移動し、出口部においてギヤの歯が噛み合う事により押出し、吐出される。一般に、ギヤの歯形状としては平歯車状の物が使用されているため、歯の噛み合いは断続的であり、流体の吐出圧力の変動を引き起こす。このようなギヤ式定量ポンプを用いて原料を供給して賦形物を連続的に製造する場合、流体の吐出圧力の変動は流体の吐出量の変動を引き起こし、賦形物の形状斑の原因となる。従って、特に高い寸法精度が要求される賦型物の製造には、ギヤ式定量ポンプの吐出量の変動の低減化が必要となる。
【０００３】
この様なギヤ式定量ポンプに起因する流体の吐出量の変動を低減する方法として一般によく知られているものに、アキュムレータによる圧力変動の緩和がある。これは、ギヤ式定量ポンプから賦形装置の吐出部に至るまでの配管の内容積を、変動した吐出体積の分だけ機械的に変化させて、流体の吐出量の変動を低減するものである。
【０００４】
また、ギヤ式定量ポンプ自体の吐出量の変動が小さいものとして３連ギヤ式定量ポンプがある。この３連ギヤ式定量ポンプは、ギヤを３枚並列に配し２ヶ所の噛み合わせ部より流体を圧送して吐出量の変動の位相を打ち消し合う構造であり、高い吐出安定性を示す。
【０００５】
【発明が解決しようとする課題】
しかし、アキュムレータは、構造が複雑でありかつギヤ式定量ポンプの運転用とは別にアキュムレータ作動用の動力源が必要であり、装置自体が大規模かつ高価になる。また、３連ギヤ式定量ポンプも普通のギヤ式定量ポンプに比して構造が複雑であり高価である。
【０００６】
更に既存の装置において製造している賦型物が更に高い寸法精度が要求された場合、賦形装置にアキュムレータや３連ギヤ式定量ポンプを組み込むためには装置の大規模な改造が必要となる。
【０００７】
上記の問題点に鑑み、本発明の目的は、簡単な構造かつ低いコストで定量ポンプの吐出圧変動すなわち吐出量変動を低減させることが可能な装置及びその使用方法を提供することにある。
【０００８】
【課題を解決するための手段】
本願第１の発明の要旨は、直流電圧値あるいは直流電流値で回転数が制御されるモーター（１）と、モーター（１）によって駆動され流体を圧送する定量ポンプ（２）と、この定量ポンプ（２）の吐出口の下流側に設けた圧力計（３）と、圧力計（３）の出力信号に対して、定量ポンプに起因する吐出圧変動の周波数信号成分のみを通過させるフィルター回路（４）と、このフィルター回路（４）の出力信号を増幅する増幅回路（５）と、この増幅回路（５）の出力信号を所定の基準電圧と比較し、２値化を行う比較回路（６）と、所定の電圧値ａを設定する回転数設定回路（７）と、２つの電圧値ｂとｃをｂ＞ｃとして設定する加算値設定回路（８）と、比較回路（６）の２値化信号に応じてｂあるいはｃの電圧値を選択するセレクタ（９）と、回転数設定回路（７）の出力電圧とセレクタ（９）の出力電圧を加算する加算回路（１０）と、加算回路（１０）の出力をモーター（１）を駆動可能な電圧値あるいは電流値に変換して出力する出力回路（１１）とから構成される光ファイバ製造用定量ポンプ吐出圧変動低減装置にある。
【０００９】
また、第２の発明の要旨は、前記装置において、回転数設定回路（７）で設定される所定の電圧値ａが所定のビット数のディジタル値ａ’であり、加算回路（１０）と出力回路（１１）との間にＤ（デジタル）／Ａ（アナログ）変換回路（１２）が設けられ、更に加算値設定回路（８）で設定される電圧値ｂ及び電圧値ｃが所定のビット数のディジタル値ｂ’及びディジタル値ｃ’であることを特徴とする光ファイバ製造用定量ポンプ吐出圧変動低減装置にある。
【００１０】
第３の発明の要旨は、前記第１の装置において、加算値設定回路（８）の代わりにａ＞ｄとなる電圧値ｄを設定する第２回転数設定回路（１６）を配置し、加算回路（１０）を省略して回転数設定回路（７）をセレクタ（９）に接続し、比較回路（６）の２値化信号に応じて電圧値ａあるいは電圧値ｄを選択する回路を構成してセレクタ（９）の出力を出力回路（１１）に送る構成としたことを特徴とする光ファイバ製造用定量ポンプ吐出圧変動低減装置にある。
【００１１】
第４の発明の要旨は、前記第２の装置において、加算値設定回路（８）の代わりに、ａ’＞ｄ’となる所定のビット数のディジタル値ｄ’を設定する第２回転数設定回路（１６）を配置し、加算回路（１０）を省略して回転数設定回路（７）をセレクタ（９）に接続し、比較回路（６）の２値化信号に応じてディジタル値ａ’あるいはディジタル値ｄ’を選択する回路を構成してセレクタ（９）の出力をＤ（デジタル）／Ａ（アナログ）変換回路（１２）に送る構成としたことを特徴とする光ファイバ製造用定量ポンプ吐出圧変動低減装置にある。
【００１２】
第５及び第６の発明の要旨は、前記第１または第２の発明の装置を用いて、定量ポンプ（２）に起因する吐出圧が低くなったときに電圧値ｂあるいはディジタル値ｂ’を、高くなったときに電圧値ｃあるいはディジタル値ｃ’をセレクタ（９）で選択する光ファイバ製造用定量ポンプ吐出圧変動の低減方法にある。
【００１３】
第７及び第８の発明の要旨は、前記第３または第４の発明の装置を用いて、定量ポンプ（２）に起因する吐出圧が低くなったときに電圧値ａあるいはディジタル値ａ’を、高くなったときに電圧値ｄあるいはディジタル値ｄ’をセレクタ（９）で選択する光ファイバ製造用定量ポンプ吐出圧変動の低減方法にある。
【００１４】
第９の発明の要旨は、前記第１〜４のいずれかの定量ポンプ吐出圧変動低減装置の定量ポンプ（２）の上流側に有機重合体用または有機重合体を含む混合物用の溶融混練供給装置（１７）を配置し、圧力計（３）の下流側に賦形装置（１８）を配置してなる光ファイバ賦形装置にある。
【００１５】
第１０の発明の要旨は、前記第９の発明のいずれかの賦形装置を用いて、有機重合体または有機重合体を含む混合物を溶融混練供給装置（１７）で溶融混練し、前記第５、第６、第７または第８の発明の定量ポンプ吐出圧変動の低減方法を用いて吐出圧を一定に制御しつつ、溶融混練物を賦形装置（１８）に供給して有機重合体または有機重合体を含む混合物を光ファイバ製造用に賦形する方法にある。
【００１６】
【発明の実施の形態】
本発明において流体としては有機重合体または有機重合体を含む混合物等が例示される。有機重合体を含む混合物としては、有機重合体と重合性単量体との混合物、有機重合体と非重合性化合物との混合物、有機重合体と重合性単量体と非重合性化合物との混合物等が例示される。
本発明の光ファイバ賦形装置により光ファイバを製造することができる。
有機重合体や単量体としてはこれらの原料として知られている公知の化合物を使用することができる。即ち、有機重合体としては合成樹脂等を用いることができる。重合性単量体としては有機重合体の原料となるものや、有機重合体とは溶解性、耐熱性、透明性、屈折率等の物性が異なる重合体を生成するものを用いることができる。また、非重合性化合物としては例えば有機重合体、単量体とは屈折率の異なる化合物を用いることができる。
以下図面を参照しつつ本発明の装置及びその使用方法を説明する。
【００１７】
【実施例】
実施例１
図１は本発明の第１の装置の実施例を示すブロック図である。
回転数設定回路（７）は、モーター（１）が所定の回転数になるように電圧値ａを調整し、加算回路（１０）に出力する。加算値設定回路（８）では、加算値として所定の電圧値ｂ及びｃ（但しｂ＞ｃ）を設定し、セレクタ（９）に出力する。
【００１８】
一方、定量ポンプ（２）の下流側に設けた圧力計（３）は、定量ポンプ（２）の吐出圧力信号を検出し、フィルタ回路（４）に出力する。フィルタ回路（４）では、この定量ポンプ（２）の吐出圧力信号の内定量ポンプ（２）に起因する吐出圧力の変動成分の周波数のみを通過させ、増幅回路（５）に出力する。増幅回路（５）では、フィルタ回路（４）からの出力を判別可能なレベルまで増幅し比較回路（６）に出力する。ここで、フィルタ回路（４）と増幅回路（５）を別々に構成しているが、増幅回路（５）にフィルタ回路（４）の機能を持たせ、一体で構成することもできる。
【００１９】
比較回路（６）では、増幅回路（５）からの出力と、基準電圧発生回路（１５）で設定した所定のレベルの電圧を比較し、例えば圧力が所定のレベルより高くなったときにはハイレベル（以下Ｈと略す）を、低くなったときにはロウレベル（以下Ｌと略す）をセレクタ（９）に出力する。セレクタ（９）では、比較回路（６）からの出力信号がＬの時には電圧値ｂを、Ｈの時には電圧値ｃを選択し加算回路（１０）に出力する。
【００２０】
加算回路（１０）では電圧値ａとセレクタ（９）の出力である電圧値ｂあるいは電圧値ｃとを加算し、その結果を出力回路（１１）に出力する。出力回路（１１）では、加算回路（１０）からの出力値に応じてモーター（１）を駆動可能な電圧あるいは電流値としてモーター（１）に出力する。モーター（１）は出力回路（１１）からの出力に応じて定量ポンプ（２）を駆動する。
【００２１】
以上のような動作により、定量ポンプ（２）に起因する吐出圧力変動に対して、吐出圧力が高くなろうとしたときには加算回路（１０）の出力がａ＋ｃ（この値はａ＋ｂより小さい）となり低回転でモーター（１）が回転し、吐出圧力が低くなろうとしたときには加算回路（１０）の出力がａ＋ｂとなり高回転でモーター（１）が回転し、吐出圧力の変動を低減することができる。
【００２２】
実施例２
図２は本発明の第２の装置の実施例を示すブロック図である。
前記図１の第１の発明の装置と比較すると、回転数設定回路（７）で設定される所定の電圧値ａがディジタル値ａ’であり、加算回路（１０）と出力回路（１１）との間にＤ（デジタル）／Ａ（アナログ）変換回路（１２）が設けられている点が相違する。
【００２３】
回転数設定回路（７）は、図５に示すブロック図の様に構成しており、ボリュ−ム（以下ＶＲという）（１３）によってモーター（１）が所定の回転数になるように調整する。ＶＲ（１３）で設定した電圧値ａは、Ａ／Ｄ変換回路（１４）で例えば８ビットのディジタル値ａ’に変換して加算回路（１０）に出力する。
加算値設定回路（８）では、加算値として８ビットのディジタル値で例えばｂ’＝１０及びｃ’＝−１０と設定し、セレクタ（９）に出力する。ｂ’とｃ’の値は、圧力変動の低減の度合いにより適宜設定される。
【００２４】
セレクタ（９）では、比較回路（６）からの出力信号がＬの時にはディジタル値ｂ’を、Ｈの時にはディジタル値ｃ’を選択し加算回路（１０）に出力する。
加算回路（１０）ではディジタル値ａ’とセレクタ（９）の出力であるディジタル値ｂ’あるいはディジタル値ｃ’とを加算し、その結果をＤ／Ａ変換回路（１２）に出力する。Ｄ／Ａ変換回路（１２）では、加算回路（１０）からの出力信号をディジタル値からアナログ値に変換し、出力回路（１１）に出力する。出力回路（１１）では、Ｄ／Ａ変換回路（１２）からの出力値に応じてモーター（１）を駆動可能な電圧あるいは電流値としてモーター（１）に出力する。モーター（１）は出力回路（１１）からの出力に応じて定量ポンプ（２）を駆動する。
【００２５】
以上のような動作により、定量ポンプ（２）に起因する吐出圧力変動に対して、吐出圧力が高くなろうとしたときには加算回路（１０）の出力がａ’＋ｃ’（ここではｃ’＝−１０）となり低回転でモーター（１）が回転し、吐出圧力が低くなろうとしたときには加算回路（１０）の出力がａ’＋ｂ’（ここではｂ’＝＋１０）となり高回転でモーター（１）が回転し、吐出圧力の変動を低減することができる。
【００２６】
実施例３
図３は本発明の第３の装置の実施例を示すブロック図である。
前記図１の第１の発明の装置と比較すると、加算値設定回路（８）の代わりにａ＞ｄとなる電圧値ｄを設定する第２回転数設定回路（１６）を配置し、加算回路（１０）を省略して回転数設定回路（７）をセレクタ（９）に接続し、比較回路（６）の２値化信号に応じて電圧値ａあるいは電圧値ｄを選択する回路を構成してセレクタ（９）の出力を出力回路（１１）に送る構成とした点が異なる。
【００２７】
回転数設定回路（７）は、モーター（１）が所望の回転数よりやや高めの回転数になるように電圧値ａを調整し、セレクタ（９）に出力する。
第２回転数設定回路（１６）では、ａ＞ｄとなる所定の電圧値ｄを設定し、セレクタ（９）に出力する。電圧値ｄは、回転数設定回路（７）で設定する電圧値ａに連動させて設定することもできる。
【００２８】
セレクタ（９）では、比較回路（６）からの出力信号がＬの時には電圧値ａを、Ｈの時には電圧値ｄを選択し出力回路（１１）に出力する。
出力回路（１１）では、セレクタ（９）からの出力値に応じてモーター（１）を駆動可能な電圧あるいは電流値としてモーター（１）に出力する。モーター（１）は出力回路（１１）からの出力に応じて定量ポンプ（２）を駆動する。
【００２９】
以上のような動作により、定量ポンプ（２）に起因する吐出圧力変動に対して、吐出圧力が高くなろうとしたときにはセレクタ（９）の出力がｄとなり低回転でモーター（１）が回転し、吐出圧力が低くなろうとしたときにはセレクタ（９）の出力がａとなり高回転でモーター（１）が回転し、吐出圧力の変動を低減することができる。
【００３０】
実施例４
図４は本発明の第４の装置の実施例を示すブロック図である。
前記図２の第２の発明の装置と比較すると、加算値設定回路（８）の代わりに、ａ’＞ｄ’となるディジタル値ｄ’を設定する第２回転数設定回路（１６）を配置し、加算回路（１０）を省略して回転数設定回路（７）をセレクタ（９）に接続し、比較回路（６）の２値化信号に応じてディジタル値ａ’あるいはディジタル値ｄ’を選択する回路を構成してセレクタ（９）の出力をＤ（デジタル）／Ａ（アナログ）変換回路（１２）に送る構成とした点が異なる。
【００３１】
回転数設定回路（７）は、モーター（１）が所定の回転数になるようにディジタル値ａ’をセレクタ（９）に出力する。
第２回転数設定回路（１６）では、ａ＞ｄ’となるディジタル値ｄ’を設定し、セレクタ（９）に送る。ディジタル値ｄ’は、回転数設定回路（７）で設定するディジタル値ａ’に連動させて設定することもできる。
【００３２】
セレクタ（９）では、比較回路（６）からの出力信号がＬの時にはディジタル値ａ’を、Ｈの時にはディジタル値ｄ’を選択しＤ／Ａ変換回路（１２）に出力する。Ｄ／Ａ変換回路（１２）では、セレクタ（９）からの出力信号をディジタル値からアナログ値に変換し、出力回路（１１）に出力する。出力回路（１１）では、Ｄ／Ａ変換回路（１２）からの出力値に応じてモーター（１）を駆動可能な電圧あるいは電流値としてモーター（１）に出力する。モーター（１）は出力回路（１１）からの出力に応じて定量ポンプ（２）を駆動する。
【００３３】
以上のような動作により、定量ポンプ（２）に起因する吐出圧力変動に対して、吐出圧力が高くなろうとしたときには加算回路（１０）の出力がｄ’となり低回転でモーター（１）が回転し、吐出圧力が低くなろうとしたときにはセレクタ（９）の出力がａ’となり高回転でモーター（１）が回転し、吐出圧力の変動を低減することができる。
【００３４】
実施例５
図６は、本発明の有機重合体用または有機重合体を含む混合物用の賦形装置の実施例を示すブロック図である。制御装置（２１）は、前記吐出圧変動低減装置の第１〜第４の装置の実施例の内、モーター（１）と定量ポンプ（２）と圧力計（３）を除く部分を示す。
有機重合体は溶融混練供給装置（１７）で溶融・混練されて、定量ポンプ（２）に送られ、定量ポンプ（２）から一定量ずつ吐出される。吐出圧を圧力計（３）で計測し、この計測値の変動を制御装置（２１）で実施例１〜４と同様に判定して、モーター（１）の回転数を増減させ、定量ポンプ（２）から常に一定量の有機重合体が吐出されるようにモーター（１）を制御する。吐出量が一定に制御された有機重合体は賦形装置（１８）で所定の形状に賦形される。
【００３５】
図７は図６の賦形装置（１８）の第１実施例を示す図である。賦形装置には有機重合体を所定の形状に賦形する口金（３１）が備えられている。
定量ポンプ（２）としては、一例として、０．６ｃｃ／回転のギヤ式定量ポンプを使用し、モーター（１）としてはＡＣサーボモーターを使用し、１／１００の減速機を装備している。吐出圧変動低減装置（２２）としては、実施例１の装置を使用している。口金（３１）としては、一例として、直径５ｍｍの円筒状のものを使用し、直径１ｍｍの糸状の賦形物を得た。
【００３６】
比較例として吐出圧変動低減装置（２２）を使用せず、モーター（１）を、例えば、約１５００ｒｐｍで回転し、圧力計（３）により定量ポンプ（２）の吐出圧を測定すると、ギヤの歯の噛み合い対応した圧力変動、及びモーター（１）の軸と定量ポンプ（２）の軸との取り付け精度あるいは定量ポンプ（２）の加工精度に起因する回転数に比例した周期の圧力変動として振幅約０．５ｋｇ／ｃｍ2の変動が観測された。このとき賦形物の径の変動をレーザ外径測定器によって測定したところ、径の中心値に対して約１０μｍの変動が観測された。
【００３７】
これに対して吐出圧変動低減装置（２２）を使用し、回転数設定回路（７）で設定する信号ａを、一例として約１５００ｒｐｍでモーター（１）を回転させる時の値に設定し、加算値設定回路（８）で設定する信号ｂを、７５０ｒｐｍでモーター（１）を回転させるときの値に設定し、加算値設定回路（８）で設定する信号ｃを，−７５０ｒｐｍでモーター（１）を回転させる時の値に設定した。また、フィルタ回路（４）を通過させる吐出圧の変動周波数帯域としては約０．１Ｈｚ〜約１０Ｈｚの間に設定した。
【００３８】
この構成により賦形を行った場合、圧力計（３）によって定量ポンプ（２）の吐出圧を測定すると、低減したい変動の周波数に対して吐出圧の変動は１／１０以下に低減された。このとき賦形物の径の変動は、径の中心値に対して約２μｍとなり、径の変動が約１／５に低減された。
【００３９】
本実施例においては口金（３１）によって賦形される賦形物は全体が一つのものであるが、多層構造を持つ賦形物を得るためには各層を形成する流体を圧送する定量ポンプ（２）に対して本装置を適用することにより、精度の高い賦形物を製造することができる。尚、流体として有機重合体と非重合性化合物の混合物を用いる場合も図７の装置を使用できる。
【００４０】
実施例６
第８図は図６の賦形装置（１８）の第２実施例を示すブロック図である。
この実施例は有機重合体と重合性単量体を含む混合物用の賦形装置であり、賦形装置（１８）は、有機重合体と重合性単量体等の混練物の所定の形状に賦形する口金（３１）と重合性単量体を重合する重合装置（３２）を備えている。
【００４１】
溶融混練供給装置（１７）は、有機重合体と重合性単量体の混合物を溶融混練して定量ポンプ（２）に供給する。定量ポンプ（２）としては、一例として、０．１５ｃｃ／回転のギヤ式定量ポンプを使用し、モーター（１）としてはＡＣサーボモーターを使用し、１／１００の減速機を装備している。吐出圧変動低減装置（２２）としては、前記図１〜図４に示す吐出圧変動低減装置の第１から第４の何れの装置でもかまわないが、ここでは実施例１の装置を使用している。口金（３１）としては、一例として、直径２ｍｍの円筒状のものを使用した。口金（３１）の下流側に配置した重合装置（３２）で単量体を重合させ、直径１ｍｍの糸状の賦形物を得た。
【００４２】
比較例としてモーター（１）を約４００ｒｐｍで回転し、それ以外は実施例５と同様の条件で吐出圧変動低減装置（２２）を使用せずに実施したところ、振幅約０．５ｋｇ／ｃｍ2の変動が観測され、賦形物の径の変動は、径の中心値に対して約１０μｍであった。
【００４３】
また、信号ａを約４００ｒｐｍ、信号ｂを２００ｒｐｍ、及び信号ｃを−２００ｒｐｍとし、それ以外は実施例５と同様の条件で吐出圧変動低減装置（２２）を使用して実施したところ、低減したい変動の周波数に対して吐出圧の変動は１／１０以下に低減された。賦形物の径の変動は、径の中心値に対して約２μｍとなり、径の変動が約１／５に低減された。
【００４４】
尚、多層構造の賦形物を製造する場合は各層を形成する流体を圧送する定量ポンプ（２）に対して本装置を適用することにより、精度の高い賦形物を製造することができる。
流体として有機重合体、重合性単量体と非重合性化合物の混合物を用いる場合も図８の装置を使用できる。
【００４５】
【発明の効果】
本発明の光ファイバ製造用定量ポンプ吐出圧変動低減装置は構造が簡単でかつ安価である。また、この装置は、入力された圧力信号波形の内、定量ポンプに起因する変動成分のみを通過させるフィルタ回路を有しているので、例えば温度変化等によって流体の粘度が変化して圧力が変化しても、フィルタ回路の周波数帯域外の変化であれば反応せず、定量ポンプに起因する変動成分のみを低減することができる。
この装置を使用して原料を供給し賦形物（光ファイバ）を製造すると、形状斑が小さくて高い寸法安定性を有する光ファイバを得ることができる。
【図面の簡単な説明】
【図１】本発明の吐出圧変動低減装置の１番目の実施例の構成を示すブロック図である。
【図２】本発明の吐出圧変動低減装置の２番目の実施例の構成を示すブロック図である。
【図３】本発明の吐出圧変動低減装置の３番目の実施例の構成を示すブロック図である。
【図４】本発明の吐出圧変動低減装置の４番目の実施例の構成を示すブロック図である。
【図５】図２における回転数設定回路７の構成例を示すブロック図である。
【図６】図６は、本発明の有機重合体用または有機重合体を含む混合物用の賦形装置の実施例を示すブロック図である。
【図７】図６の賦形装置１８の第１実施例を示すブロック図である。
【図８】図６の賦形装置１８の第２実施例を示すブロック図である。
【図１】
0003892073.tif 000002
【図２】
0003892073.tif 000003
【図３】
0003892073.tif 000004
【図４】
0003892073.tif 000005
【図５】
0003892073.tif 000006
【図６】
0003892073.tif 000007
【図７】
0003892073.tif 000008
【図８】
0003892073.tif 000009